(57)【要約】      （修正有）【課題】Ｎｉｎ１モードにおいて印字されたＮ枚の原稿の各画像データの印字領域毎にセキュリティコードを付加することができる使い勝手の良い画像処理装置等を提供する。【解決手段】原稿２０の画像を読み取る原稿読取手段と、用紙３０に画像データを印字する印字手段と、セキュリティコード付加モードにおいて、用紙３０にセキュリティコードを付加するセキュリティコード付加手段と、Ｎ枚の原稿の画像を用紙１枚に印字するＮｉｎ１モードを設定可能なモード設定手段を備える。セキュリティコード付加モードにおいて、Ｎｉｎ１モードが設定されている場合には、各原稿の画像データの印字領域毎にセキュリティコードを用紙に付加するように、前記セキュリティコード付加手段が制御される。【選択図】  図３
2008118210.tif 000002
【特許請求の範囲】
【請求項１】
原稿の画像を読み取る原稿読取手段と、
前記原稿読取手段により読み取られた原稿の画像データを用紙に印字する印字手段と、
Ｎ枚の原稿の画像を用紙１枚に印字するＮｉｎ１モードを設定可能なモード設定手段と、
セキュリティコード付加モードにおいて、前記モード設定手段によりＮｉｎ１モードが設定されている場合には、前記用紙における各原稿の画像データの印字領域毎にセキュリティコードを付加するセキュリティコード付加手段と、
を備えたことを特徴とする画像処理装置。
【請求項２】
前記制御手段は、Ｎｉｎ１モードが設定されていない場合は、用紙１枚に付き１つのセキュリティコードを用紙に付加するように、前記セキュリティコード付加手段を制御する請求項１に記載の画像処理装置。
【請求項３】
前記セキュリティコードは、各原稿についての印字許可／不許可を示すものであり、各原稿についての印字の許可／不許可を設定する設定手段を備えている請求項１または２に記載の画像処理装置。
【請求項４】
前記セキュリティコードは地紋パターンとして画像データと共に用紙に印字される請求項１〜４のいずれかに記載の画像形成装置。
【請求項５】
Ｎ枚の元原稿の画像を用紙１枚に印字するＮｉｎ１モードにより複数の領域に画像が印字された原稿の画像を読み取る原稿読取手段と、
前記原稿読取手段により読み取られた原稿の画像データを用紙に印字する印字手段と、
前記原稿の複数の領域のそれぞれに付加されたセキュリティコードを検出するセキュリティコード検出手段と、
前記セキュリティコード検出手段による各セキュリティコードの検出結果に基づいて、各領域の画像データの前記印字手段による印字内容を制御する制御手段と、
を備えたことを特徴とする画像処理装置。
【請求項６】
前記セキュリティコード検出手段により検出された前記複数の領域のセキュリティコードの中に、コピー禁止を示すセキュリティコードが含まれていた場合には、前記制御手段は、対応する領域が白紙で出力されるように印字手段を制御する請求項５に記載の画像処理装置。
【請求項７】
前記セキュリティコード検出手段により検出された前記複数の領域のセキュリティコードの中に、コピー禁止を示すセキュリティコードが含まれていた場合には、前記制御手段は、その原稿についての印字ジョブを破棄する請求項５に記載の画像処理装置。
【請求項８】
前記セキュリティコード検出手段により検出された前記複数の領域のセキュリティコードの中に、コピー禁止を示すセキュリティコードが含まれていた場合には、前記制御手段は、コピー禁止の情報を印字するように印字手段を制御する請求項５に記載の画像処理装置。
【請求項９】
前記セキュリティコード検出手段により検出された前記複数の領域のセキュリティコードの中に、コピー禁止を示すセキュリティコードが含まれていた場合には、前記制御手段は、対応する領域の画像データの色を変更して印字するように印字手段を制御する請求項５に記載の画像処理装置。
【請求項１０】
前記セキュリティコード検出手段により検出された前記複数の領域のセキュリティコードの中に、コピー禁止を示すセキュリティコードが含まれていた場合には、前記制御手段は、対応する領域の画像データの濃度を変更して印字するように印字手段を制御する請求項５に記載の画像処理装置。
【請求項１１】
前記セキュリティコード検出手段により検出された前記複数の領域のセキュリティコードの中に、コピー禁止を示すセキュリティコードが含まれていた場合には、前記制御手段は、対応する領域の画像データの倍率を変更して印字するように印字手段を制御する請求項５に記載の画像処理装置。
【請求項１２】
前記セキュリティコード検出手段により検出された前記複数の領域のセキュリティコードの中に、コピー禁止を示すセキュリティコードが含まれていた場合には、前記制御手段は、コピー禁止領域以外の領域の画像がコピー禁止領域の画像部分に詰めて印字されるように、印字手段を制御する請求項５に記載の画像処理装置。
【請求項１３】
前記セキュリティコード検出手段により検出された前記複数の領域のセキュリティコードの中に、コピー禁止を示すセキュリティコードが含まれていた場合には、前記制御手段は、コピー禁止領域以外の領域の画像が、その回転および／または拡大によりコピー禁止領域の画像部分を埋めた状態で印字されるように、印字手段を制御する請求項５に記載の画像処理装置。
【請求項１４】
表示手段を備え、
前記セキュリティコード検出手段により検出された前記複数の領域のセキュリティコードの中に、コピー禁止を示すセキュリティコードが含まれていた場合には、前記制御手段は、コピー禁止を示すメッセージを前記表示手段に表示させる請求項５〜１３のいずれかに記載の画像処理装置。
【請求項１５】
表示手段を備え、
前記セキュリティコード検出手段により検出された前記複数の領域のセキュリティコードの中に、コピー禁止を示すセキュリティコードが含まれていた場合には、前記制御手段は、コピー禁止の領域を前記表示手段に表示させる請求項５〜１４のいずれかに記載の画像処理装置。
【請求項１６】
前記セキュリティコードは地紋パターンとして画像と共に用紙に印字されている請求項５〜１５のいずれかに記載の画像処理装置。
【請求項１７】
原稿の画像を読み取るステップと、
Ｎ枚の原稿の画像を用紙１枚に印字するＮｉｎ１モードを設定するステップと、
セキュリティコード付加モードにおいて、前記モード設定手段によりＮｉｎ１モードが設定されている場合には、前記用紙における各原稿の画像データの印字領域毎にセキュリティコードを付加するステップと、
を備えたことを特徴とする画像処理方法。
【請求項１８】
Ｎ枚の元原稿の画像を用紙１枚に印字するＮｉｎ１モードにより複数の領域に画像が印字された原稿の画像を読み取るステップと、
前記読み取られた原稿の画像データを用紙に印字するステップと、
前記原稿の複数の領域のそれぞれに付加されたセキュリティコードを検出するステップと、
前記各セキュリティコードの検出結果に基づいて、各領域の画像データの前記印字手段による印字内容を制御するステップと、
を備えたことを特徴とする画像処理方法。
【請求項１９】
原稿の画像を読み取るステップと、
Ｎ枚の原稿の画像を用紙１枚に印字するＮｉｎ１モードを設定するステップと、
セキュリティコード付加モードにおいて、前記モード設定手段によりＮｉｎ１モードが設定されている場合には、前記用紙における各原稿の画像データの印字領域毎にセキュリティコードを付加するステップと、
を画像処理装置のコンピュータに実行させるための画像処理プログラム。
【請求項２０】
Ｎ枚の元原稿の画像を用紙１枚に印字するＮｉｎ１モードにより複数の領域に画像が印字された原稿の画像を読み取るステップと、
前記読み取られた原稿の画像データを用紙に印字するステップと、
前記原稿の複数の領域のそれぞれに付加されたセキュリティコードを検出するステップと、
前記各セキュリティコードの検出結果に基づいて、各領域の画像データの前記印字手段による印字内容を制御するステップと、
を画像処理装置のコンピュータに実行させるための画像処理プログラム。
【発明の詳細な説明】
【技術分野】
【０００１】
この発明は、セキュリティコード付き原稿を作成でき、あるいはセキュリティコード付き原稿の前記セキュリティコードを読み取ることができる、多機能デジタル複合機であるＭＦＰ(Multi Function Peripherals)などに適用される画像処理装置、画像処理方法および画像処理装置のコンピュータに画像処理を実行させるための画像処理プログラムに関する。
【背景技術】
【０００２】
近年、例えば機密文書を複写機などでコピーしたものが外部に流出したり、原本をコピーした印刷物（出力物）が原本として悪用されたりすることを防ぐために、紙文書に対するセキュリティが強化されつつある。
【０００３】
従来、例えば、原稿の両面にセキュリティコードを埋め込み、機密文書の読み取りを規制する技術が知られている（例えば、特許文献１参照）。
【０００４】
また、原稿に地紋パターンを設け、この地紋パターンとパスワードとでコピーの禁止／許可を制御するようにした技術が知られている（例えば、特許文献２参照）。
【特許文献１】特開２００５−１４２９１７号公報
【特許文献２】特開２００４−３２００８０号公報
【発明の開示】
【発明が解決しようとする課題】
【０００５】
しかし、上述した特許文献に記載された技術では、用紙単位、あるいは原稿画像面単位でセキュリティを施すものであるから、Ｎ枚の原稿の画像を用紙１枚に印字するＮｉｎ１モードで出力を行った場合、出力される用紙１枚に対してセキュリティコードも１つしか付加できなかった。これでは、各原稿毎に情報を付加することができないため、Ｎｉｎ１モードで印字されたＮ枚の原稿の画像のうち特定の原稿、例えば著作権上保護されるべき文書や画像、秘密情報、個人情報等を含む原稿の画像のみをコピー禁止にしたいような場合に、対応することができず、使い勝手が良くなかった。
【０００６】
この発明は、上記実情に鑑みてなされたものであり、Ｎｉｎ１モードにおいて印字されたＮ枚の原稿の各画像データの印字領域毎にセキュリティコードを付加することができる使い勝手の良い画像処理装置、画像処理方法および画像処理装置のコンピュータに画像処理を実行させるための画像処理プログラムを提供することを目的とする。
【０００７】
この発明はさらに、Ｎｉｎ１モードにより複数の領域に画像が印字され、かつ各領域のそれぞれにセキュリティコードが付加されている原稿に対して、前記各セキュリティコードを読み取って各領域の画像データの印字内容を制御することができる画像処理装置、画像処理方法および画像処理装置のコンピュータに画像処理を実行させるための画像処理プログラムを提供することを目的とする。
【課題を解決するための手段】
【０００８】
上記課題は、以下の手段によって解決される。
（１）原稿の画像を読み取る原稿読取手段と、前記原稿読取手段により読み取られた原稿の画像データを用紙に印字する印字手段と、Ｎ枚の原稿の画像を用紙１枚に印字するＮｉｎ１モードを設定可能なモード設定手段と、セキュリティコード付加モードにおいて、前記モード設定手段によりＮｉｎ１モードが設定されている場合には、前記用紙における各原稿の画像データの印字領域毎にセキュリティコードを付加するセキュリティコード付加手段と、を備えたことを特徴とする画像処理装置。
（２）前記制御手段は、Ｎｉｎ１モードが設定されていない場合は、用紙１枚に付き１つのセキュリティコードを用紙に付加するように、前記セキュリティコード付加手段を制御する前項１に記載の画像処理装置。
（３）前記セキュリティコードは、各原稿についての印字許可／不許可を示すものであり、各原稿についての印字の許可／不許可を設定する設定手段を備えている前項１または２に記載の画像処理装置。
（４）前記セキュリティコードは地紋パターンとして画像データと共に用紙に印字される前項１〜４のいずれかに記載の画像形成装置。
（５）Ｎ枚の元原稿の画像を用紙１枚に印字するＮｉｎ１モードにより複数の領域に画像が印字された原稿の画像を読み取る原稿読取手段と、前記原稿読取手段により読み取られた原稿の画像データを用紙に印字する印字手段と、前記原稿の複数の領域のそれぞれに付加されたセキュリティコードを検出するセキュリティコード検出手段と、前記セキュリティコード検出手段により検出された各セキュリティコードの検出結果に基づいて、各領域の画像データの前記印字手段による印字内容を制御する制御手段と、を備えたことを特徴とする画像処理装置。
（６）前記セキュリティコード検出手段により検出された前記複数の領域のセキュリティコードの中に、コピー禁止を示すセキュリティコードが含まれていた場合には、前記制御手段は、対応する領域が白紙で出力されるように印字手段を制御する前項５に記載の画像処理装置。
（７）前記セキュリティコード検出手段により検出された前記複数の領域のセキュリティコードの中に、コピー禁止を示すセキュリティコードが含まれていた場合には、前記制御手段は、その原稿についての印字ジョブを破棄する前項５に記載の画像処理装置。
（８）前記セキュリティコード検出手段により検出された前記複数の領域のセキュリティコードの中に、コピー禁止を示すセキュリティコードが含まれていた場合には、前記制御手段は、コピー禁止の情報を印字するように印字手段を制御する前項５に記載の画像処理装置。
（９）前記セキュリティコード検出手段により検出された前記複数の領域のセキュリティコードの中に、コピー禁止を示すセキュリティコードが含まれていた場合には、前記制御手段は、対応する領域の画像データの色を変更して印字するように印字手段を制御する前項５に記載の画像処理装置。
（１０）前記セキュリティコード検出手段により検出された前記複数の領域のセキュリティコードの中に、コピー禁止を示すセキュリティコードが含まれていた場合には、前記制御手段は、対応する領域の画像データの濃度を変更して印字するように印字手段を制御する前項５に記載の画像処理装置。
（１１）前記セキュリティコード検出手段により検出された前記複数の領域のセキュリティコードの中に、コピー禁止を示すセキュリティコードが含まれていた場合には、前記制御手段は、対応する領域の画像データの倍率を変更して印字するように印字手段を制御する前項５に記載の画像処理装置。
（１２）前記セキュリティコード検出手段により検出された前記複数の領域のセキュリティコードの中に、コピー禁止を示すセキュリティコードが含まれていた場合には、前記制御手段は、コピー禁止領域以外の領域の画像がコピー禁止領域の画像部分に詰めて印字されるように、印字手段を制御する前項５に記載の画像処理装置。
（１３）前記セキュリティコード検出手段により検出された前記複数の領域のセキュリティコードの中に、コピー禁止を示すセキュリティコードが含まれていた場合には、前記制御手段は、コピー禁止領域以外の領域の画像が、その回転および／または拡大によりコピー禁止領域の画像部分を埋めた状態で印字されるように、印字手段を制御する前項５に記載の画像処理装置。
（１４）表示手段を備え、前記セキュリティコード検出手段により検出された前記複数の領域のセキュリティコードの中に、コピー禁止を示すセキュリティコードが含まれていた場合には、前記制御手段は、コピー禁止を示すメッセージを前記表示手段に表示させる前項５〜１３のいずれかに記載の画像処理装置。
（１５）表示手段を備え、前記セキュリティコード検出手段により検出された前記複数の領域のセキュリティコードの中に、コピー禁止を示すセキュリティコードが含まれていた場合には、前記制御手段は、コピー禁止の領域を前記表示手段に表示させる前項５〜１４のいずれかに記載の画像処理装置。
（１６）前記セキュリティコードは地紋パターンとして画像と共に用紙に印字されている前項５〜１５のいずれかに記載の画像処理装置。
（１７）  原稿の画像を読み取るステップと、Ｎ枚の原稿の画像を用紙１枚に印字するＮｉｎ１モードを設定するステップと、セキュリティコード付加モードにおいて、前記モード設定手段によりＮｉｎ１モードが設定されている場合には、前記用紙における各原稿の画像データの印字領域毎にセキュリティコードを付加するステップと、を備えたことを特徴とする画像処理方法。
（１８）Ｎ枚の元原稿の画像を用紙１枚に印字するＮｉｎ１モードにより複数の領域に画像が印字された原稿の画像を読み取るステップと、前記読み取られた原稿の画像データを用紙に印字するステップと、前記原稿の複数の領域のそれぞれに付加されたセキュリティコードを検出するステップと、前記検出された各セキュリティコードの検出結果に基づいて、各領域の画像データの前記印字手段による印字内容を制御するステップと、を備えたことを特徴とする画像処理方法。
（１９）原稿の画像を読み取るステップと、Ｎ枚の原稿の画像を用紙１枚に印字するＮｉｎ１モードを設定するステップと、セキュリティコード付加モードにおいて、前記モード設定手段によりＮｉｎ１モードが設定されている場合には、前記用紙における各原稿の画像データの印字領域毎にセキュリティコードを付加するステップと、を画像処理装置のコンピュータに実行させるための画像処理プログラム。
（２０）Ｎ枚の元原稿の画像を用紙１枚に印字するＮｉｎ１モードにより複数の領域に画像が印字された原稿の画像を読み取るステップと、前記読み取られた原稿の画像データを用紙に印字するステップと、前記原稿の複数の領域のそれぞれに付加されたセキュリティコードを検出するステップと、前記検出された各セキュリティコードの検出結果に基づいて、各領域の画像データの前記印字手段による印字内容を制御するステップと、を画像処理装置のコンピュータに実行させるための画像処理プログラム
【発明の効果】
【０００９】
前項（１）に記載された発明によれば、セキュリティコード付加モードにおいて、Ｎｉｎ１モードが設定されている場合には、用紙における各原稿の画像データの印字領域毎にセキュリティコードが付加されるから、各原稿の印字領域毎に例えばコピー禁止／許可等の情報を付与することができ、より細かく柔軟な文書セキュリティ管理を行うことができ、使い勝手の良い画像処理装置となしうる。
【００１０】
前項（２）に記載された発明によれば、Ｎｉｎ１モードが設定されていなければ、従来のように、用紙１枚に付き１つのセキュリティコードを付加することができる。
【００１１】
前項（３）に記載された発明によれば、Ｎｉｎ１モードで印字される各原稿毎に印字の許可／不許可を設定することができる。
【００１２】
前項（４）に記載された発明によれば、セキュリティコードを地紋パターンとして画像データに埋め込むことができる。
【００１３】
前項（５）に記載された発明によれば、Ｎｉｎ１モードにより複数の領域に画像が印字され、かつ前記複数の領域のそれぞれにセキュリティコードが付加されている原稿に対して、前記各セキュリティコードを検出し、その結果に基づいて各領域の画像データの印字内容を制御することができるから、より細かく柔軟な文書セキュリティ管理を行うことができ、使い勝手の良い画像処理装置となしうる。
【００１４】
前項（６）に記載された発明によれば、複数の領域のセキュリティコードの中にコピー禁止を示すセキュリティコードが含まれていた場合には、対応する領域が白紙で出力されるから、コピー禁止の画像が第三者に知られるのを防止することができる。
【００１５】
前項（７）に記載された発明によれば、複数の領域のセキュリティコードの中にコピー禁止を示すセキュリティコードが含まれていた場合には、その原稿についての印字ジョブが破棄されるから、コピー禁止の画像が第三者に知られるのを防止することができる。
【００１６】
前項（８）に記載された発明によれば、複数の領域のセキュリティコードの中にコピー禁止を示すセキュリティコードが含まれていた場合には、コピー禁止の情報が印字されるから、その原稿にコピー禁止の画像が含まれていることをユーザに認識させることができる。
【００１７】
前項（９）に記載された発明によれば、複数の領域のセキュリティコードの中にコピー禁止を示すセキュリティコードが含まれていた場合には、対応する領域の画像データの色が変更されて印字されるから、その原稿にコピー禁止の画像が含まれていることをユーザに認識させることができる。
【００１８】
前項（１０）に記載された発明によれば、複数の領域のセキュリティコードの中にコピー禁止を示すセキュリティコードが含まれていた場合には、対応する領域の画像データの濃度が変更された状態で印字されるから、その原稿にコピー禁止の画像が含まれていることをユーザに認識させることができる。
【００１９】
前項（１１）に記載された発明によれば、複数の領域のセキュリティコードの中にコピー禁止を示すセキュリティコードが含まれていた場合には、対応する領域の画像データの倍率が変更された状態で印字されるから、その原稿にコピー禁止の画像が含まれていることをユーザに認識させることができる。
【００２０】
前項（１２）に記載された発明によれば、複数の領域のセキュリティコードの中にコピー禁止を示すセキュリティコードが含まれていた場合には、コピー禁止領域以外の領域の画像がコピー禁止領域の画像部分に詰めて印字されるから、出力状態で不自然な空白部がなくなり、体裁の良い出力物を得ることができる。
【００２１】
前項（１３）に記載された発明によれば、複数の領域のセキュリティコードの中にコピー禁止を示すセキュリティコードが含まれていた場合には、コピー禁止領域以外の領域の画像が、その回転および拡大によりコピー禁止領域の画像部分を埋めた状態で印字されるから、出力状態で不自然な空白部がなくなり、体裁の良い出力物を得ることができる。
【００２２】
前項（１４）に記載された発明によれば、複数の領域のセキュリティコードの中にコピー禁止を示すセキュリティコードが含まれていた場合には、コピー禁止を示すメッセージが表示手段に表示されるから、その原稿にコピー禁止の画像が含まれていることをユーザに認識させることができる。
【００２３】
前項（１５）に記載された発明によれば、複数の領域のセキュリティコードの中にコピー禁止を示すセキュリティコードが含まれていた場合には、コピー禁止の領域が表示手段に表示されるから、その原稿にコピー禁止の画像が含まれていることをユーザに認識させることができる。
【００２４】
前項（１６）に記載された発明によれば、セキュリティコードは地紋パターンとして画像と共に用紙に印字されるから、セキュリティコードを画像データとして扱うことができる。
【００２５】
前項（１７）に記載の発明によれば、セキュリティコード付加モードにおいて、Ｎｉｎ１モードが設定されている場合には、用紙における各原稿の画像データの印字領域毎にセキュリティコードが付加されるから、各原稿の印字領域毎に例えばコピー禁止／許可等の情報を付与することができ、より細かく柔軟な文書セキュリティ管理を行うことができる。
【００２６】
前項（１８）に記載された発明によれば、Ｎｉｎ１モードにより複数の領域に画像が印字され、かつ前記複数の領域のそれぞれにセキュリティコードが付加されている原稿に対して、前記各セキュリティコードを検出し、その結果に基づいて各領域の画像データの印字内容を制御することができるから、より細かく柔軟な文書セキュリティ管理を行うことができる。
【００２７】
前項（１９）に記載の発明によれば、セキュリティコード付加モードにおいて、Ｎｉｎ１モードが設定されている場合に、用紙における各原稿の画像データの印字領域毎にセキュリティコードを付加する処理を、画像処理装置のコンピュータに実行させることができる。
【００２８】
前項（２０）に記載された発明によれば、Ｎｉｎ１モードにより複数の領域に画像が印字され、かつ前記複数の領域のそれぞれにセキュリティコードが付加されている原稿に対して、前記各セキュリティコードを検出し、その結果に基づいて各領域の画像データの印字内容を制御する処理を、画像処理装置のコンピュータに実行させることができる。
【発明を実施するための最良の形態】
【００２９】
以下、この発明の一実施形態を図面に基づいて説明する。
【００３０】
図１は、この発明の一実施形態に係る画像処理装置が適用されたＭＦＰ１００の電気的構成を示すブロック図である。
【００３１】
図１において、このＭＦＰ１００は、ＣＰＵ１と、ＲＯＭ２と、ＲＡＭ３と、スキャナ部４と、操作パネル部５と、記憶部６と、印字部７と、画像処理部８を備えている。
【００３２】
ＣＰＵ１は、ＭＦＰ１００の全体を統括制御するが、この実施形態では、特に次のような制御を行う。即ち、セキュリティコード付加モードにおいて、図３に示すように、Ｎ枚（Ｎページ）の原稿２０を１枚の用紙３０に印字するＮｉｎ１モード（図３では４ｉｎ１モード）が設定されている場合には、各ページの画像データを用紙３０の各印字領域３０ａ〜３０ｄに印字すると共に、各印字領域３０ａ〜３０ｄ毎にセキュリティコード４０ａ〜４０ｄを付加するように制御する機能を有している。また、Ｎｉｎ１モードが設定されていない場合には、１枚の原稿２０の画像を１つのセキュリティコードを付加した状態で、１枚の用紙３０に印字させるように制御する。
【００３３】
この実施形態では、用紙３０に付加されるセキュリティコードは、図４に示すように、地紋パターン４０として画像の背景に埋め込まれている。勿論、セキュリティコードは、地紋以外の例えばバーコードや無線ＩＣチップなどにより付加されるものであってもよい。また、セキュリティコードの検出も、セキュリティコードの形態に応じた方法により行えばよい。
【００３４】
ＲＯＭ２は、ＣＰＵ１の動作プログラムを格納するメモリであり、ＲＡＭ３は、ＣＰＵ１が前記動作プログラムを実行する際の作業領域を提供するメモリである。
【００３５】
スキャナ部４は、図示しない原稿台上にセットされた、あるいは自動原稿送り装置（オードドキュメントフィーダー）によって自動的に搬送される原稿の画像を読み取るものであり、読み取った原稿の画像データを画像処理部８に送出する。
【００３６】
操作パネル部５は、図９に示すように、各種入力操作などに使用するキー部５１と、ＬＣＤ等からなる表示部５２とを備えている。表示部５２は、タッチパネルで構成してもよい。キー部５１は、図９に示すように、スタートキー５１１やストップキー５１２を有している。
【００３７】
この実施形態では、ユーザは操作パネル部５により、Ｎｉｎ１モードの設定操作、セキュリティコード（地紋パターン）を各領域毎に付加するか否かの設定操作、セキュリティコードを付加する場合は、各領域毎のセキュリティコードの内容入力操作、セキュリティコード付き原稿に対してセキュリティコードの検出を行うか否かの設定操作、セキュリティコードの検出を行う場合におけるコピー禁止検出時の動作モードの設定操作、などを行うことができるものとなされている。そして、前記ＣＰＵ１は、上記のようなユーザの設定操作や入力を受け付けて、対応するモードの設定等を行うものとなされている。
【００３８】
記憶部６は、各種データやプログラムを記憶するものであり、例えばハードディスクなどが使用される。
【００３９】
印字部７は、スキャナ部４で読み取られ所定の画像処理が施された画像データと、セキュリティコードとしての地紋パターン４０とを、ジョブ条件に従って印字するものである。
【００４０】
画像処理部８は、前記スキャナ部４で読み取られた原稿の画像データに所定の画像処理を実施するものであり、その詳細を図２を用いて説明する。
【００４１】
図２は、前記画像処理部８の機能的構成を示すブロック図である。この画像処理部８は、第１スキャナ画像処理部１１と、第２スキャナ画像処理部１２と、コントローラ１３と、プリンタ画像処理部１４と、セキュリティコード検出部１５と、地紋パターン発生部１６等を備えている。
【００４２】
第１スキャナ画像処理部１１は、前記スキャナ部４で読み取られた画像データ（Ｒ，Ｇ，Ｂ）に対して、シェーディング補正、ライン間補正、色収差補正などを行う。
【００４３】
第２のスキャナ画像処理部１２は、前記第１のスキャナ画像処理部１１から送られてきた画像データに対して、解像度変換、下地飛ばし処理、領域判別、Ｒ，Ｇ，ＢからＹ，Ｍ，Ｃ，Ｋへの変換、文字エッジ補正、誤差拡散などを行う。
【００４４】
コントローラ部１３は、第２のスキャナ画像処理部１２で処理された画像データに対して、圧縮・伸長処理を行う。
【００４５】
プリンタ画像処理部１４は、コントローラ部１３を経由した画像データに対して、印字のための処理を行う。具体的には、画像補正、イメージ合成、スクリーン処理等の処理を行う。そして、画像データ（Ｒ，Ｇ，Ｂ）は、属性情報が付加された状態で印字部７に出力される。
【００４６】
なお、プリンタ画像処理部１４におけるイメージ合成処理は、セキュリティコードとしての地紋パターン４０を原稿２０の画像データと合成する処理であり、地紋パターン発生部１６により生成された地紋パターン４０が、スキャナ部４で読み取られた画像データに付加される。具体的には、画像の背景として付加される。
【００４７】
一方、第１のスキャナ画像処理部１１で処理された画像データは、セキュリティコード検出部１５にも入力される。セキュリティコード検出部１５は、第１のスキャナ画像処理部１１を経由してきた画像データから、地紋パターン４０を抽出してセキュリティコードを検出するものであり、周知の解像度変換、前処理、コード検出処理、コード解析処理などの各処理が、ＣＰＵ１で制御されながら実行される。
【００４８】
次に、ＭＦＰ１００において、Ｎｉｎ１モード（例えば２ｉｎ１モード）が設定された状態で、各原稿２０の画像データを用紙３０の複数の領域に印字すると共に、各領域毎にセキュリティコード（地紋パターン４０）を付加する例を、図５を参照して説明する。
【００４９】
図５において、２枚（２ページ）の原稿２１、２２について、２ｉｎ１モードでコピーを行うと、用紙３１の左半分の領域３１ａに原稿２１の画像が印字され、用紙３１の右半分の領域３１ｂに原稿２２の画像が印字される。また、セキュリティコードの付加モードが設定されていると、各領域３１ａ、３１ｂのそれぞれに対して別々のセキュリティコードである地紋パターン４１，４２が付加される。
【００５０】
一方の地紋パターン４１は、例えば「コピー禁止」を意味するものであり、他方の地紋パターン４２は、例えば「コピー許可」を意味するものとする。なお、地紋パターンとして画像に埋め込まれるセキュリティコードの内容は、「コピー禁止」や「コピー許可」に限定されるものではなく、画像データの「座標情報」など他の情報であってもよい。
【００５１】
こうして、用紙３１の複数の領域３１ａ、３１ｂに２枚の原稿２１、２２の画像データがそれぞれ印字されるとともに、各領域３１ａ、３１ｂ毎にセキュリティコード４１、４２が付加された新たな原稿２３を作成することができる。
【００５２】
次に、Ｎｉｎ１モードにおいて、各原稿２１、２２の画像データの印字領域３１ａ、３１ｂ毎にセキュリティコード４１、４２を付加して画像データを印字する処理の手順を、図６のフローチャートを参照して説明する。この処理は、ＣＰＵ１がＲＯＭ２等の記録媒体に記録されている動作プログラムに従って動作することにより実行される。なお、ここでは原稿は自動原稿送り装置によって給送される場合を例にとって説明する。
【００５３】
図６において、ステップＳ１では、原稿がスキャナ部４の自動原稿送り装置のトレイ上にセットされるのを待ち、原稿がセットされると（ステップＳ１でＹＥＳ）、ステップＳ２では、ユーザの設定入力に基づいてモード設定を行う。モード設定は、前述したように、Ｎｉｎ１モードの設定、地紋パターン（セキュリティコード）を付加する／付加しない（ＯＮ／ＯＦＦ）の設定、付加する場合の地紋パターンに埋め込む情報の内容設定などである。
【００５４】
地紋パターンに埋め込む情報は各原稿毎に設定されるものであり、例えば何ページ目をコピー禁止にするか、等をユーザが操作パネル部５を介して入力するものである。
【００５５】
ついで、ステップＳ３では、スタートキー５１１が押下されるのを待ち、スタートキー５１１が押下されると（ステップＳ３でＹＥＳ）、ステップＳ４では、原稿Ｐの画像の読み取りを行い、１枚の原稿が読み取られると、ステップＳ５では、Ｎｉｎ１モードが設定されているか否かを判断する。
【００５６】
Ｎｉｎ１モードが設定されていれば（ステップＳ５でＹＥＳ）、ステップＳ６では、Ｎ枚の原稿の読み取りが完了したか否かを判断する。Ｎ枚の原稿の読み取りが完了していなければ（ステップＳ６でＮＯ）、ステップＳ１２に進み、地紋パターンの付加設定がなされているか否か、換言すればセキュリティコードの付加モードか否かを判断する。地紋パターンの付加設定がなされていなければ（ステップＳ１２でＮＯ）、ステップＳ２１で次の原稿があるか否かを判断し、次の原稿があれば（ステップＳ２１でＹＥＳ）、ステップＳ４に戻る。次の原稿がなければ（ステップＳ２１でＮＯ）、読み取られているＮ個未満の画像データをステップＳ１６で１枚の用紙に印字したのち、本処理を終了する。
【００５７】
地紋パターンの付加設定がなされていれば（ステップＳ１２でＹＥＳ）、ステップＳ１３では、セキュリティコードが埋め込まれた地紋パターンを作成する。地紋パターンに埋め込まれるセキュリティコードとしては、前述したようにコピー禁止／許可、座標情報等である。次いで、ステップＳ１４では、次の原稿があるか否かを判断し、次の原稿があれば（ステップＳ１４でＹＥＳ）、ステップＳ４に戻る。
【００５８】
次の原稿がなければ（ステップＳ１４でＮＯ）、ステップＳ１５では、読み取られているＮ個未満の画像データの各々に対して、設定された情報に対応する地紋パターンをそれぞれ打ち込んで合成し、ステップＳ１６で合成後の画像データを１枚の用紙に印字したのち、本処理を終了する。
【００５９】
ステップＳ６において、原稿Ｎ枚の読み取りが完了していれば（ステップＳ６でＹＥＳ）、ステップＳ７では、地紋パターンの付加設定がなされているか否かを判断する。
【００６０】
地紋パターンの付加設定がなされていれば（ステップＳ７でＹＥＳ）、ステップＳ８では、Ｎ枚目の原稿の画像データに対応する地紋パターンを作成する。
【００６１】
ついで、ステップＳ９で、各原稿の画像データに各地紋パターンを打ち込んで合成したのち、ステップＳ１０で合成後のＮ個の画像データを１枚の用紙に印字する。
【００６２】
ステップＳ７で地紋パターンの付加設定がなされていなければ（ステップＳ７でＮＯ）、地紋パターンの作成と打ち込みは行わず、ステップＳ１０でＮ個の画像データを１枚の用紙に印字する。
【００６３】
次いで、ステップＳ１１で、次の原稿があるかどうかを判断し、次の原稿があれば（ステップＳ１１でＹＥＳ）、ステップＳ４に戻る。次の原稿がなければ（ステップＳ１１でＮＯ）、本処理を終了する。
【００６４】
一方、ステップＳ５で、Ｎｉｎ１モードが設定されていなければ（ステップＳ５でＮＯ）、ステップＳ１７で、地紋パターンの付加設定がなされているか否かを判断する。地紋パターンの付加設定がなされていれば（ステップＳ１７でＹＥＳ）、ステップＳ１８で地紋パターンを作成する。ステップＳ１５では、原稿の画像データに地紋パターンを打ち込んで合成したのち、ステップＳ１９で合成後の画像データを用紙に印字して、本処理を終了する。この場合は、用紙１枚に付き１個のセキュリティコードが付加される。
【００６５】
ステップＳ１７において、地紋パターンの付加設定がなされていなければ（ステップＳ１７でＮＯ）、ステップＳ２０で、読み取られた画像データをそのまま用紙に印字する。
【００６６】
このように、この実施形態では、セキュリティコードの付加モードにおいて、Ｎ枚の原稿の画像を読み込んでＮｉｎ１モードで印字する場合、各原稿の画像データの印字領域毎にセキュリティコードを付加できるから、印字領域毎に換言すればコピー元の原稿毎に、例えばコピー禁止／許可等の情報を付与することができ、より細かく柔軟な文書セキュリティ管理を行うことができる。
【００６７】
次に、図５に示したように、Ｎｉｎ１モードによりＮ枚の元原稿の画像データが印字され、かつ各画像データの印字領域毎にセキュリティコードが付加された新たな原稿２３を、コピーする場合の動作について説明する。
【００６８】
原稿２３を用紙３２にコピーする場合、原稿２３の各領域３１ａ、３１ｂに埋め込まれた地紋パターン４１、４２を検出し、「コピー禁止」情報が付加された領域３１ａについては、図５に示すように、用紙３２の対応する領域３２ａを白紙の状態にして出力する。白紙の状態で出力することにより、コピー禁止の画像が第三者に知られるのを防止することができる。
【００６９】
なお、用紙３２の対応する領域３２ａを白紙の状態にして出力するのではなく、「コピー禁止」のセキュリティコードが検出された場合には、その印字ジョブそのものを破棄しても良い。
【００７０】
また、領域３２ａを白紙状態とするのではなく、「コピー禁止」であることをユーザに認識させるような画像操作を行って印字したり、あるいは白紙出力とする場合の不自然な白紙部分をなくして体裁良く印字する構成を採用しても良い。
【００７１】
このような印字の例を図７を参照して説明する。
【００７２】
原稿２３を用紙３２にコピーする場合、「コピー禁止」の地紋パターン４１が検出された場合、その領域３１ａの画像については、例えば図７の右側上段に示すように、画像の色を変更して用紙Ｓ２に印字する。この例では、カラー画像をグレーにして印字した場合を示している。
【００７３】
また、図７の右側中段に示すように、「コピー禁止」の地紋パターン４１が検出された領域３１ａの画像を、濃度を変換（例えば、濃度を薄く）して用紙３２に印字しても良い。
【００７４】
また、図示は省略したが、「コピー禁止」の地紋パターン４１が検出された領域３１ａの画像を拡大しあるいは縮小して、用紙３２に印字しても良い。
【００７５】
さらにまた、図７の右側下段に示すように、「コピー禁止」の地紋パターン４１が検出された領域３１ａの画像については、白紙で出力すると共に、この白紙部を埋めるために「コピー許可」の領域３１ｂの画像を回転させて用紙３２の中央部位に印字したり、領域３１ｂの画像を拡大して用紙３２の全域が埋まるように印字しても良い。勿論、回転と拡大の両操作を施しても良い。
【００７６】
また、図８に示すような画像操作を行っても良い。図８は、４ｉｎ１モードにより４つの領域２３ａ〜２３ｄに地紋パターン（２３ｂの領域のみがコピー禁止）が付加された原稿２３をコピーする場合を示すものである。
【００７７】
図８の右側上段に示すように、コピーが禁止されている領域２３ｂに対応する領域に、「コピー禁止」というようなコピー禁止画像であることが分かる情報を印字しても良いし、図８の右側下段に示すように、コピー禁止領域２３ｂに続くコピー許可の領域２３ｃ、２３ｄの画像Ｐ３、Ｐ４を、コピー禁止の領域２３ｂの対応部分に詰めて印字しても良い。
【００７８】
図７および図８に示すような画像操作を行うことにより、原稿２３の所有者等は、コピー禁止の画像が含まれていることを認識できるし、またコピー禁止の領域の画像が白紙状態で出力される場合に生じる不自然な白紙部を無くして、体裁の良い出力物とすることができる。
【００７９】
また、コピー禁止のセキュリティコードを検出した場合、図９に示すように、操作パネル部５の表示部５２の画面５２ａに、例えば、「コピー禁止コードを検出しました。＊＊＊で出力します。」のようなメッセージを併せて表示させるとよい。これにより、原稿所有者等は、コピー禁止画像が含まれていることを、より明確に認識することができる。
【００８０】
また、図１０に示すように、「コピー禁止」の領域（図１０の例では２３ｂおよび２３ｃ）を前記操作パネル部５の表示部５２に表示させても良い。この例では、コピー禁止の領域を黒塗りで表示してある。これによっても、原稿所有者等は、原稿にコピー禁止画像が含まれていることを、より明確に認識することができる。
【００８１】
図１１は、セキュリティコード検出時の処理手順を説明するためのフローチャートである。この処理も、ＣＰＵ１がＲＯＭ２等の記録媒体に記録されている動作プログラムに従って動作することにより実行される。
【００８２】
ここでは、原稿は１枚ずつ原稿台にセットされてコピーされる場合を例にとって説明する。
【００８３】
図１１において、ステップＳ３１では、原稿がセットされるのを待ち、原稿がセットされると（ステップＳ３１でＹＥＳ）、ステップＳ３２では、ユーザの設定操作に基づいて、モード設定を行う。モード設定は、セキュリティコードの検出を行うか否か（ＯＮ／ＯＦＦ）の設定、セキュリティコードの検出を行う場合におけるコピー禁止検出時の動作モードの設定等である。
【００８４】
ついで、ステップＳ３３では、スタートキー５１１が押下されるのを待ち、スタートキー５１１が押下されると（ステップＳ３３でＹＥＳ）、ステップＳ３４では、スキャナ部４を介して原稿の画像の読み取りを行う。
【００８５】
ステップＳ３５では、セキュリティコードの検出を行い、ステップＳ３６では、「コピー禁止」を検出したか否かを判断し、「コピー禁止」を検出しなければ（ステップＳ３６でＮＯ）、ステップＳ３７で印字動作を実行したのち、処理を終了する。
【００８６】
「コピー禁止」を検出した場合には（ステップＳ３６でＹＥＳ）、ステップＳ３８で、セキュリティコードの情報から原稿のコピー禁止領域を算出し、ステップＳ３９では、算出したコピー禁止領域に対して、設定した動作モードによる印字の制約（禁止動作）を適用し、ステップＳ３７で前記制約の下で印字を行って、処理を終了する。
【００８７】
このように、この実施形態では、Ｎｉｎ１モードにより画像データが複数の領域に印字されるとともに、複数の領域のそれぞれにセキュリティコードが付加されている原稿に対して、前記各セキュリティコードを検出し、その結果に応じて各領域の画像データの印字内容を制御することができるから、より細かく柔軟な文書セキュリティ管理を行うことができ、使い勝手の良い画像処理装置となしうる。
【００８８】
上述の実施形態では、地紋パターンに埋め込む情報は、原稿の画像の読み取り前に、何枚目の原稿をコピー禁止にするか等をユーザが操作パネル部５を介して入力することで設定されるものであった。しかしながら、これには種々のバリエーションが存在しうる。そのうちのいくつかの例を以下に列挙する。
（１）原稿がスキャナ部４の自動原稿送り装置によって１枚給送されて画像が読み取られる都度、図１２に示されるように、操作パネル部５の表示部５２にその画像と地紋パターンに埋め込む情報の選択肢が表示される。ユーザが情報を選択すると、その画像に対して埋め込まれる情報が対応付けられる。これが各原稿毎に繰り返される。
【００８９】
すなわち、各原稿の画像の読み取り後に地紋パターンに埋め込む情報の選択を行うものである。
（２）原稿がスキャナ部４の自動原稿送り装置によって全て給送されて画像の読み取りが終了すると、図１３に示されるように、操作パネル部５の表示部５２に画像の一覧と地紋パターンに埋め込む情報の選択肢が表示される。ユーザが画像と情報とを選択すると、選択された画像に対して埋め込まれる情報が対応付けられる。
【００９０】
すなわち、全原稿の画像の読み取り後に地紋パターンに埋め込む情報の選択を行うものである。
（３）原稿がスキャナ部４の原稿台上にセットされたのち、その原稿の画像の読み取り前、もしくは読み取り後にユーザが操作パネル部５を介して地紋パターンに埋め込む情報を入力する。読み取り後である場合には、上記（１）と同様、操作パネル部５の表示部５２にその画像と地紋パターンに埋め込む情報の選択肢を表示させることができる。
（４）原稿がスキャナ部４の原稿台上に１枚ずつ純にセットされて原稿の画像が読み取られ、全ての原稿の画像が読み取られた後にユーザが操作パネル部５を介して地紋パターンに埋め込む情報を入力する。この場合には、上記（２）と同様、操作パネル部５の表示部５２に画像の一覧と地紋パターンに埋め込む情報の選択肢を表示させることができる。
【図面の簡単な説明】
【００９１】
【図１】この発明の一実施形態に係る画像処理装置が適用されたＭＦＰの電気的構成を示すブロック図である。
【図２】図１の画像処理装置における画像処理部の機能的構成を示すブロック図である。
【図３】原稿をＮｉｎ１モードで用紙にコピーする際に、各原稿の画像毎にセキュリティコードを付加する基本構成の説明図である。
【図４】セキュリティコードとしての地紋パターンの一例を示す図である。
【図５】原稿をＮｉｎ１モードで用紙にコピーし、各原稿の画像毎にセキュリティコードを付加する場合の説明図である。
【図６】原稿を２ｉｎ１モードで用紙にコピーし、各原稿の画像毎にセキュリティコードを付加する場合の処理手順を示すフローチャートである。
【図７】「コピー禁止」のセキュリティコードの検出時の動作説明図である。
【図８】「コピー禁止」のセキュリティコードの検出時の他の動作説明図である。
【図９】コピー禁止のセキュリティコードを検出した際に、表示部にメッセージを表示した状態の操作パネル部の平面図である。
【図１０】領域毎に地紋コードが付加された原稿をコピーする際に検出されたコピー禁止領域を、表示部に表示した状態の操作パネル部の平面図である。
【図１１】セキュリティコード検出時の処理手順を説明するためのフローチャートである。
【図１２】原稿の画像と地紋パターンに埋め込む情報の選択肢が表示された操作パネル部の平面図である。
【図１３】画像の一覧と地紋パターンに埋め込む情報の選択肢が表示された操作パネル部の平面図である。
【符号の説明】
【００９２】
１          ＣＰＵ
４          スキャナ部
５          操作パネル部
７          印字部
８          画像処理部
１５        セキュリティコード検出部
５２        表示部
２０〜２３  原稿
３１、３２  用紙
４０〜４２  地紋パターン（セキュリティコード）
３１ａ、３１ｂ、２３ａ〜２３ｄ  領域
【図１】
2008118210.tif 000003
【図２】
2008118210.tif 000004
【図３】
2008118210.tif 000005
【図４】
2008118210.tif 000006
【図５】
2008118210.tif 000007
【図６】
2008118210.tif 000008
【図７】
2008118210.tif 000009
【図８】
2008118210.tif 000010
【図９】
2008118210.tif 000011
【図１０】
2008118210.tif 000012
【図１１】
2008118210.tif 000013
【図１２】
2008118210.tif 000014
【図１３】
2008118210.tif 000015